(57)【要約】【課題】スノーボード用ビンディングは通常、ボルトによりスノーボードに埋め込まれたナットに固定されるが、ビンディングを固定するボルトは、使用時に様々な力が作用するために緩みが生じやすく、緩みにより操作性が低下し、更に緩みが進行した場合には破損や脱落により使用者が怪我を負う恐れがあった。【解決手段】本発明のスノーボード用ビンディング締め付け部材は、ビンディング本体と、前記ビンディング本体の底面を上方から押さえ付けるプレートと、前記押さえプレートを介してビンディング本体をスノーボードに固定する締め付け部材より構成され、前記締め付け部材は、ボルトと、ワッシャーより成り、前記ワッシャーと前記押さえプレート間に設けた第１の回り止め手段と、前記ボルトと前記ワッシャー間に設けた第２の回り止め手段とを有する事により、使用中の緩みを防止し、更に着脱を繰り返しても緩み止め性能が低下しない。【選択図】図２
2006068179.tif 000002
【特許請求の範囲】
【請求項１】
ビンディング本体と、前記ビンディング本体の底面を上方から押さえ付ける押さえプレートと、前記押さえプレートを介してビンディング本体をスノーボードに固定する締め付け部材より構成され、前記締め付け部材は、ボルトと、ワッシャーより成り、前記押さえプレートは前記ボルトのネジ部を挿通する貫通孔と、前記ワッシャーと当接する当接面を有するスノーボード用ビンディングにおいて、前記ワッシャーと前記押さえプレート間に設けた第１の回り止め手段と、前記ボルトと前記ワッシャー間に設けた第２の回り止め手段とを有する事を特徴とするスノーボード用ビンディング。
【請求項２】
前記第１の回り止め手段は、前記ワッシャーに設けられた係合爪と、前記押さえプレートに設けられた前記係合爪の当接部よりなり、前記第二の回り止め手段は、前記ボルトと前記ワッシャーの各当接面に設けられた摩擦力増大形状よりなることを特徴とする請求項１記載のスノーボード用ビンディング。
【請求項３】
前記第１の回り止め手段は、前記ワッシャーと前記押さえプレートの各当接面に設けられた摩擦力増大形状よりなり、前記第二の回り止め手段は、前記ボルトと前記ワッシャーの各当接面に設けられた摩擦力増大形状よりなることを特徴とする請求項１記載のスノーボード用ビンディング。
【請求項４】
ビンディング本体と、前記ビンディング本体の底面を上方から押さえ付ける押さえプレートと、前記押さえプレートを介してビンディング本体をスノーボードに固定するボルトより構成され、前記押さえプレートは前記ボルトのネジ部を挿通する貫通孔と、前記ボルトの頭部と当接する当接面を有するスノーボード用ビンディングにおいて、前記ボルトと前記押さえプレートの各当接面には、摩擦力増大形状が施される事を特徴とするスノーボード用ビンディング。
【発明の詳細な説明】
【技術分野】
【０００１】
本発明はスノーボードに対するビンディングの固定構造に関するものである。
【背景技術】
【０００２】
スノーボード用ビンディングは通常、ボルトによりスノーボードに埋め込まれたナットに固定されるが、ビンディングを固定するボルトは、使用時に様々な力が作用するために緩みが生じやすく、緩みにより操作性が低下し、更に緩みが進行した場合には破損や脱落により使用者が怪我を負う恐れがあった。
【０００３】
従来のスノーボード用ビンディングにおいては特許文献1に記載されるように、複数個の貫通孔を有する押さえプレートを含み、各貫通孔は、押さえプレートをスノーボード上面に取り付けるためのボルトを受け入れるように設けられた取り付け位置を有する技術が開示されており、前記ボルトの頭部と上記貫通孔の当接面を傾斜面とすることにより、頭部が傾斜面よりなるボルト（皿ネジ）を使用し、ビンディング底面からボルトの頭部が突起する事を防止している。
【０００４】
又、他の従来のスノーボード用ビンディングにおいては特許文献２に記載されるように、ビンディングをスノーボードに固定するボルトに弾発性を有するＯ型形状のリングを介在させるという手段を採用し、ボルトを締め付けた時に、リングがボルトとボルト孔の間隙に変形して押し込まれ、ビスとビス孔の間隙を埋めることで、ビスが緩むことを防止する構造が開示されている。
【０００５】
【特許文献１】特許公報第２９３１４０５号
【特許文献２】登録実用新案公報第３０５４３２９号
【発明の開示】
【発明が解決しようとする課題】
【０００６】
しかしながら、上記特許文献1に開示された従来のスノーボード用ビンディングにおいては、何ら、ゆるみ止め手段も開示されておらず、ボルトが、緩みやすい欠点があった。
【０００７】
そして、上記特許文献２に開示された特許文献においては、ビンディング底面からボルトの頭部が突起して使用者の靴底と干渉する事を避けるために、前記ビンディングのボルト孔に、ボルトの頭部厚と緩み止めＯ型形状のリング厚の合算寸法に相当する凹部を設ける必要があり、十分な強度を得るためには、ビンディング底部の肉厚を過度に厚くする必要が生じてしまい、重量の増加と重心位置の上昇を招く欠点があり、更に前記ボルトの着脱時においてＯ型形状のリングの損傷が激しく、繰り返しの着脱に適する構造ではなかった。
【０００８】
本発明は、前記した課題を解決するためのものであり、使用時の様々な力の作用に対してのボルトの緩みを制御し、使用者が快適且つ安全に使用できるスノーボード用ビンディングを提供しようとするものである。
【課題を解決するための手段】
【０００９】
本発明のスノーボード用ビンディングは、  ビンディング本体と、前記ビンディング本体の底面を上方から押さえ付ける押さえプレートと、前記押さえプレートを介してビンディング本体をスノーボードに固定する締め付け部材より構成され、前記締め付け部材は、ボルトと、ワッシャーより成り、前記押さえプレートは前記ボルトのネジ部を挿通する貫通孔と、前記ワッシャーと当接する当接面を有するスノーボード用ビンディングにおいて、前記ワッシャーと前記押さえプレート間に設けた第１の回り止め手段と、前記ボルトと前記ワッシャー間に設けた第２の回り止め手段とを有する事を特徴とする。
【００１０】
好ましくは、前記第１の回り止め手段は、前記ワッシャーに設けられた係合爪と、前記押さえプレートに設けられた前記係合爪の当接部よりなり、前記第二の回り止め手段は、前記ボルトと前記ワッシャーの各当接面に設けられた摩擦力増大形状よりなることを特徴とする。
【００１１】
または、前記第一の回り止め手段は、前記ワッシャーと前記押さえプレートの各当接面に設けられた摩擦力増大形状よりなり、前記第二の回り止め手段は、前記ボルトと前記ワッシャーの各当接面に設けられた摩擦力増大形状よりなるように構成しても良い。
【００１２】
また、ビンディング本体と、前記ビンディング本体の底面を上方から押さえ付ける押さえプレートと、前記押さえプレートを介してビンディング本体をスノーボードに固定するボルトより構成され、前記押さえプレートは前記ボルトのネジ部を挿通する貫通孔と、前記ボルトの頭部と当接する当接面を有するスノーボード用ビンディングにおいて、前記ボルトと前記押さえプレートの各当接面には、摩擦力増大形状が施されるように構成しても良い。
【発明の効果】
【００１３】
上記のように本発明のスノーボード用ビンディングは、スノーボードに対して、ビンディングの着脱を繰り返しても、その機械的性能の低下が殆ど無く、使用時の様々な力の作用に対してのボルトの緩みを制御し、使用者が快適且つ安全に使用できる等大きな利益がある。
【発明を実施するための最良の形態】
【００１４】
以下、図面を参照しつつ、本発明の実施の形態について説明する。
【実施例１】
【００１５】
図１は本発明のスノーボード用ビンディングのスノーボード１への取り付け方法を示す参考斜視図であり、  ビンディング本体２と、前記ビンディング本体２の底面２０を上方から押さえ付ける押さえプレート３と、前記押さえプレート３を介してビンディング本体２をスノーボード１に固定する締め付け部材４を有する。
【００１６】
前記押さえプレート３は締め付け部材４のネジ部４０を挿通する貫通孔３０を有し、前記貫通孔３０は前記締め付け部材４を選択的に挿通可能な５個の貫通孔３０を連結して形成し、前記各貫通孔３０の周囲には前記締め付け部材４の頭部に形成された傾斜部４１を受け入れる傾斜面３１と、前記傾斜部４１の周囲に形成された平面部４２を受け入れる凹面３２を有する事により、ビンディング底面２０に対して締め付け部材４の頭部４３が突起する事を防止出来る。
【００１７】
更に図２〜図７は、本発明の第１の実施の形態に係わるスノーボード用ビンディングの要部を示し、締め付け部材４は、前記押さえプレート３の貫通孔３０の周囲に上方から当接するワッシャー５と、前記ワッシャー５及び前記貫通孔３０を介してスノーボード１に設けられたナット１０に固定されるボルト６より構成され、前記ワッシャー５と前記押さえプレート３の間に設けた第１の回り止め手段と、前記ボルト６と前記ワッシャー５の間に設けた第２の回り止め手段とを有する。
【００１８】
そして前記第１の回り止め手段は、前記ワッシャー５の側端部より延在し下方に折り曲げられた係合爪５０が、前記貫通孔３０の内壁に突き当たり、回転が制御される事により達成される。又、前記係合爪５０の先端部の幅を狭める事により前記係合爪５０の幅方向にカイド部５１が形成され、前記ボルト６の固定時には自動的に前記ワッシャー５の係合爪５０が前記貫通孔３０に案内され、前記係合爪５０と前記押さえプレート３の干渉による破損を防止する事が出来る。又、前記押さえプレート３の各貫通孔３０の周囲に設けた傾斜面３１もボルト６の固定時には自動的に前記ワッシャー５の係合爪５０を前記貫通孔３０に案内する効果を有する。
【００１９】
前記第２の回り止め手段は、前記ボルト６と前記ワッシャー５の各当接面に設けられた摩擦力増大形状よりなり、前記摩擦力増大形状はボルトの頭部６１の下面に形成された傾斜面６２において円周方向と直交する方向に連続して設けられた凸爪６３と、ワッシャー５の前記ボルト６との当接面に形成された傾斜面５３において円周方向と直交する方向に連続して設けられた凹溝５４により構成される。そして前記ボルト６に設けられた凸爪６３と、前記ワッシャー５の凹溝５４との係合状態は、前記ボルト６を締め付け方向に回転する時よりも緩み方向に回転する時の方が強い回転トルクが必要な様に、前記ボルト６の締め付け方向の回転時よりも緩み方向の回転時の方が、ボルト６の凸爪６３とワッシャー５の凹溝５４との各係合面同士の角度が近似する様に設定する。尚、前記摩擦力増大形状は上記形状に限定されず、前記ボルトに凹溝を設け、前記ワッシャーに凸爪を設けても良く、更に、摩擦力を増大する形状の組み合わせであれば、上記以外の形状でも良い。
【００２０】
尚、ボルト６からワッシャー５が脱落しないセムス構造（ボルト６の頭部６２とネジ部６４の間に、ネジ部６４の外径よりも小径の軸部を設けると共に、ワッシャー５の孔部の内径を前記軸部外径よりも大きく、かつ前記ネジ部６４の外径よりも小さい寸法に設定し、前記ワッシャー５の孔部がボルト６の軸部位置に来る様に組み立てた構造）とする事により、前記ボルト６の着脱作業時に、ボルト６からワッシャー５外れて紛失せず、作業性も向上する効果がある。
【実施例２】
【００２１】
本発明の第２実施例においては図８に示すように、第１の実施例における第１の回り止め手段が、ワッシャー５の周縁部下面に凸ピン部５５を設け、前記凸ピン部５５が、押さえプレート３の貫通孔３０の内壁もしくは貫通孔の周囲の傾斜面３１に突き当たる事により、回転が制御される様に構成される。
【実施例３】
【００２２】
本発明の第３実施例においては図９に示すように、第１の実施例における第１の回り止め手段が、ワッシャー５の下面傾斜面５６と、前記下面傾斜面５６に当接する押さえプレート３の傾斜面３１に夫々設けられた摩擦力増大形状よりなり、ワッシャー５の下側傾斜面５６において円周方向と直交する方向に連続して設けられた凹溝５８と、押さえプレートの傾斜面３１において円周方向と直交する方向に連続して設けられた凸爪３５により構成される。尚、前記摩擦力増大形状は上記形状に限定されず、ワッシャーの下側傾斜面に凸爪を設け、プレートの傾斜面に凹溝を設けても良く、更に、摩擦力を増大する形状の組み合わせであれば、上記以外の形状であっても良い。
【実施例４】
【００２３】
本発明の第４の実施例においては図１０に示すように、締め付け部材４にワッシャーを用いず、ボルト６は頭部６１の下面に形成された傾斜部４１と、その周囲に形成された平面部４２を有し、前記傾斜部４１と、押さえプレート３の傾斜面３１に夫々摩擦力増大形状を設ける事により、ボルト６の緩みを防止する。前記摩擦力増大形状は、前記頭部６１の下面に形成された傾斜部４１において円周方向と直交する方向に連続して設けられた凸爪６３と、押さえプレート３に形成された傾斜面３１において円周方向と直交する方向に連続して設けられた凹溝３６により構成される。尚、前記摩擦力増大形状は上記形状に限定されず、前記ボルト６の傾斜部４１に凹溝を設け、前記押さえプレートの傾斜面３１に凸爪を設けても良く、更に、摩擦力を増大する形状の組み合わせであれば、上記以外の形状でも良い。
【図面の簡単な説明】
【００２４】
【図１】本発明のスノーボード用ビンディングのスノーボードへの取り付け方法を示す参考斜視図である。
【図２】本発明のスノーボード用ビンディングの要部の斜視図である。（実施例１）
【図３】本発明のスノーボード用ビンディングの要部の平面図である。（実施例１）
【図４】本発明のスノーボード用ビンディングのボルトの側面図である。（実施例１）
【図５】本発明のスノーボード用ビンディングのＡ−Ａ断面図である。（実施例１）
【図６】本発明のスノーボード用ビンディングのワッシャーの側面図である。（実施例１）
【図７】本発明のスノーボード用ビンディングのＢ−Ｂ断面図である。（実施例１）
【図８】本発明のスノーボード用ビンディングの変形例を示す要部の斜視図である。（実施例２）
【図９】本発明のスノーボード用ビンディングの更なる変形を示す要部の斜視図である。（実施例３）
【図１０】本発明のスノーボード用ビンディングの更なる変形を示す要部の斜視図である。（実施例４）
【符号の説明】
【００２５】
１    スノーボード
２    ビンディング本体
３    押さえプレート
４    締め付け部材
５    ワッシャー
６    ボルト
１０  ナット
２０  ビンディング底面
３０  貫通孔
３１  傾斜面
３２  凹面
３３  内壁
３５  凸爪
３６  凹溝
４０  ネジ部
４１  傾斜部
４２  平面部
４３  頭部
５０  係合爪
５１  ガイド部 
５３  傾斜面
５４  凹溝
５５  凸ピン部
５６  下面傾斜面 
５８  凹溝
５９  凸爪
６１  頭部
６２  傾斜面
６３  凸爪
６４  ネジ部
【図１】
2006068179.tif 000003
【図２】
2006068179.tif 000004
【図３】
2006068179.tif 000005
【図４】
2006068179.tif 000006
【図５】
2006068179.tif 000007
【図６】
2006068179.tif 000008
【図７】
2006068179.tif 000009
【図８】
2006068179.tif 000010
【図９】
2006068179.tif 000011
【図１０】
2006068179.tif 000012